(57)【要約】【課題】  タービン動翼の転向角を大きくしても、エネルギー損失が少なくてタービン効率が高く、太陽熱発電システム等の熱エネルギーの小さい熱発電システムにも適した熱発電用タービンユニットを提供する。【解決手段】  熱発電用タービンユニット２は、周方向に列状に並ぶ複数のタービン動翼５ｄにノズル８から蒸気を噴射させて、タービン翼車５Ａに回転力を与え、発電機ロータ６Ａを回転させる半径流タービン５を備える。前記ノズル８は、前記タービン動翼５Ａの配列の内側に設けられ、蒸気を外側に向けて噴射する。前記タービン動翼５ｄ間に形成される蒸気の通路２５を、タービン翼車５Ａの回転で生じる遠心力により蒸気の速度を増加させる形状とする。【選択図】  図１
2008128127.tif 000002
【特許請求の範囲】
【請求項１】
周方向に列状に並ぶ複数のタービン動翼にノズルから蒸気を噴射させて、タービン翼車に回転力を与え、発電機ロータを回転させる半径流タービンを備えた熱発電用タービンユニットであって、
前記ノズルは、前記タービン動翼の配列の内側に設けられ、蒸気を外側に向けて噴射するものであり、前記タービン動翼間に形成される蒸気の通路を、タービン翼車の回転で生じる遠心力により蒸気の速度を増加させる形状としたことを特徴とする熱発電用タービンユニット。
【請求項２】
請求項１において、前記通路の入口から出口までの周方向の幅を一定とした熱発電用タービンユニット。
【請求項３】
コレクタ部で太陽熱を集熱した熱エネルギーにより、液体の作動媒体を直接または間接的に加熱して気化させ、こうして得られた作動媒体の蒸気を、請求項１〜請求項２のいずれかに記載の熱発電用タービンユニットに、前記ノズルから噴射させる蒸気として供給し、この熱発電用タービンユニットから出た蒸気を復水器により液体に戻すことを特徴とする熱発電システム。
【発明の詳細な説明】
【技術分野】
【０００１】
この発明は、太陽熱等の熱エネルギーを電気エネルギーに変換する熱発電用タービンユニットおよび熱発電システムに関する。
【背景技術】
【０００２】
熱発電システムの１つとして、太陽熱発電システムが種々提案されている（例えば特許文献１〜３）。この太陽熱発電システムは、コレクタ部において作動媒体を太陽熱で加熱し、その作動媒体の高圧蒸気をタービン動翼の外周側に設けられた１個または複数個のノズルからタービン動翼に噴出させてタービンを回転駆動し、その後、作動媒体の蒸気を復水器により再び液体に戻してコレクタ部に循環させるという熱サイクルを行い、タービンの回転で発電機を発電させるものである。
【０００３】
このような太陽熱発電システムでは、得られる熱エネルギーが小さいため、蒸気でタービン動翼に回転力を効率良く伝えることが求められる。特許文献４には、タービン効率の向上を目的とする、翼の転向角が大きいタービン動翼における翼の形状に関する技術が開示されている。それは、動翼間の作動媒体（同文献では燃焼ガス）の通路を、入口から出口へ向かうにしたがい幅が徐々に狭くなる形状とすることにより、作動媒体が通路を通過中に増速するようにして、減速によって生じるエネルギー損失を回避するというものである。
【特許文献１】特開２００２−２４２６９３号公報
【特許文献２】特開２０００−１１０５１５号公報
【特許文献３】特開２００３−２２７３１５号公報
【特許文献４】特開２００２−２１３２０２号公報
【発明の開示】
【発明が解決しようとする課題】
【０００４】
しかし、上記特許文献４の構成であると、通路幅が徐々に狭くなるが増速通路であるため、通路の出口付近での流路抵抗が大きく、通路内の作動媒体の圧力が高くなる。通路内の作動媒体の圧力が高いと、通路以外を通る作動媒体の量が増え、その分が損失となる可能性がある。
【０００５】
また、上記の理由から、通路幅の変化が大きな増速通路とすることができず、入口部と出口部の通路幅の差が小さい増速通路とする必要がある。このような通路の加工は、精度を要求されるため難しい。
【０００６】
特許文献１〜３のような太陽熱発電システムでは、前述したように得られる熱エネルギーが小さいため、タービン動翼の転向角によるエネルギー損失が少なくても、入力エネルギーに対する損失量の割合が高くなり、システム効率が大きく低下する。したがって、通路内の作動媒体の圧力を低く抑えて、タービン効率の良い熱発電用タービンユニットとすることで、太陽熱発電システムの効率を向上させることが望まれる。
【０００７】
この発明の目的は、タービン動翼の転向角を大きくしても、エネルギー損失が少なくてタービン効率が高く、太陽熱発電システム等の熱エネルギーの小さい熱発電システムにも適した熱発電用タービンユニットを提供することである。
【課題を解決するための手段】
【０００８】
この発明の熱発電用タービンユニットは、周方向に列状に並ぶ複数のタービン動翼にノズルから蒸気を噴射させて、タービン翼車に回転力を与え、発電機ロータを回転させる半径流タービンを備えた熱発電用タービンユニットであって、前記ノズルは、前記タービン動翼の配列の内側に設けられ、蒸気を外側に向けて噴射するものであり、前記タービン動翼間に形成される蒸気の通路を、タービン翼車の回転で生じる遠心力により蒸気の速度を増加させる形状としたことを特徴とする。
タービン動翼の配列の内側に設けたノズルから蒸気を外側に向けて噴射させる半径流タービンでは、蒸気が通路を通って外側に移動する際に、タービン翼車の回転に伴う遠心力を受け、移動方向に加速される。そのため、簡略な通路の形状、例えば通路の幅が入口から出口まで一定である形状としても、蒸気を増速させることができる。蒸気が増速すると、通路内の蒸気の圧力を低く抑えられるため、通路以外を通る蒸気の量が少なくなり、タービン効率が高くなる。なお、ここでは、通路は幅方向と直交する方向の寸法が一定であることを前提としており、幅が一定であることは断面積が一定であることを意味している。
【０００９】
前記通路の入口から出口までの周方向の幅を一定とすることができる。その場合、通路の流路抵抗が一定となり、蒸気の圧力増加がなくなる。また、通路の設計および加工が容易である。
【００１０】
この発明の熱発電システムは、コレクタ部で太陽熱を集熱した熱エネルギーにより、液体の作動媒体を直接または間接的に加熱して気化させ、こうして得られた作動媒体の蒸気を、請求項１〜請求項２のいずれかに記載の熱発電用タービンユニットに、前記ノズルから噴射させる蒸気として供給し、この熱発電用タービンユニットから出た蒸気を復水器により液体に戻すことを特徴とする。
太陽熱で得られる熱エネルギーは小さいが、タービン効率の良いこの発明の熱発電用タービンユニットを用いることにより、十分にタービンを回転させて発電することができる。
【発明の効果】
【００１１】
この発明の熱発電用タービンユニットは、周方向に列状に並ぶ複数のタービン動翼にノズルから蒸気を噴射させて、タービン翼車に回転力を与え、発電機ロータを回転させる半径流タービンを備えた熱発電用タービンユニットであって、前記ノズルは、前記タービン動翼の配列の内側に設けられ、蒸気を外側に向けて噴射するものであり、前記タービン動翼間に形成される蒸気の通路を、タービン翼車の回転で生じる遠心力により蒸気の速度を増加させる形状としたことにより、タービン動翼の転向角を大きくしても、エネルギー損失が少なくてタービン効率が高く、太陽熱発電システム等の熱エネルギーの小さい熱発電システムにも適したものとなった。
【発明を実施するための最良の形態】
【００１２】
この発明の実施形態を図１ないし図３と共に説明する。この熱発電用タービンユニット２は、発電機６とタービン５とが上下に配置される。発電機６は、回転部分である一対の発電機ロータ６Ａ，６Ａと、静止部分である発電機ステータ部６Ｂとでなる。具体的には、発電機６はアキシアルギャップ型発電機であり、ユニットハウジング１２の内周側に設けられた発電機ステータ部６Ｂに対して、垂直方向に向く姿勢とした主軸７に設けられた一対の発電機ロータ６Ａ，６Ａが上下に所定のギャップを介して対向配置されている。
【００１３】
発電機ステータ部６Ｂは、そのステータ基体１３が非磁性体からなるコアレス構造とされており、ステータ基体１３の周方向に１個ないし複数個のコイル部１４が集中巻きで配置されている。なお、発電機ステータ部６Ｂのステータ基体１３を磁性体とした場合、始動トルクの増大、低速回転域での鉄損増大やコギングトルクによる騒音、振動等が生じるが、コアレス構造としたこの実施形態では、そのような問題を回避できる。ただし、発電機６は上記したコアレス構造のものに限らず、他の構造のものを採用しても良い。前記コイル部１４は、その表面の絶縁被膜を保護するために樹脂等でモールドされている。これにより、発電機ステータ部６Ｂにおけるコイル部１４の表面の絶縁被膜が、作動媒体３である有機溶媒等により侵されて安定した発電が行えなくなるのを回避できる。
【００１４】
各発電機ロータ６Ａは、主軸７に一体に形成したフランジ状のロータ基体１５における前記発電機ステータ部６Ｂに対向する側面の円周上に、１個ないし複数個の磁石１６を配置して構成されている。この場合の磁石１６の磁極は、その磁束が発電機ステータ部６Ｂのコイル部１４に鎖交するように配置される。例えば、上ロータ磁石がＮ極、下ロータ磁石がＳ極とされる。
【００１５】
タービン５は半径流タービンであり、前記主軸７と一体に回転するタービン翼車５Ａを有する。タービン翼車５Ａは、主軸７の下端部に嵌合する円板状の動翼取付部材５ａと、複数の動翼５ｄが形成された動翼部材５ｂと、この動翼部材５ｂの下側に配置された動翼カバー部材５ｃとでなる。動翼取付部材５ａは、主軸７と一体で回転するように主軸７の下端の雄ねじ部に螺合させたナット１７で固定されている。動翼部材５ｂと動翼カバー部材５ｃは、動翼取付部材５ａに対して軸方向からボルト等（ボルト穴の図示なし）で固定され、動翼取付部材５ａと一体となって回転する。動翼部材５ｂは、樹脂成形品や金属製品からなり、機械加工等で動翼５ｄが形成されている。
【００１６】
図３に示すように、各動翼５ｄは三日月状の断面形状をしており、隣合う動翼５ｄ間に作動媒体の蒸気が通る転向角αの通路２５が形成されている。この通路２５は、上下のどの位置でも周方向の幅が一定、かつ内周側の入口から外周側の出口までの周方向の幅が一定とされている。ここで、周方向の幅が一定とは、通路２５のどの部分でも内接円Ｃの径が同じであることを言う。通路２５が上記形状であるため、通路２５の断面積も入口から出口に至るまで一定である。
【００１７】
タービン５の内周には円筒状のノズル部材１８が設けられ、このノズル部材１８にノズル８が周方向に複数分配して設けられている。ノズル８は、内周空間２６と動翼５ｄ側の外周空間２７とを連通するものであり、図２のように、径方向を向いた導入部８ａと、この導入部８ａに対して縮径され先端開口部が動翼５ｄの翼列に向けられた噴射部８ｂとからなる。
ユニットハウジング１２の底壁の中央部には、蒸気となった作動媒体３を外部から内周空間２６に流入させる吸気口１９が設けられている。また、ユニットハウジング１２の側壁には、動翼５ｄの翼列を通過した作動媒体３を外周空間２７から外部に排出させる排気口２３が設けられている。
【００１８】
主軸７は磁気軸受やフォイル軸受等の非接触軸受２２Ａ〜２２Ｃを介してユニットハウジング１２に回転自在に支持される。なお、主軸７の支持は、非接触軸受２２Ａ〜２２Ｃによらず、転がり軸受等の接触式の軸受であっても良い。
【００１９】
この熱発電用タービンユニット２は、図４の熱発電システムに組み込まれる。熱発電システムは、熱エネルギーである太陽熱を電気エネルギーに変換して出力する太陽熱発電システムであって、太陽熱を集光して太陽熱を吸収するコレクタ部１と、上記熱発電タービンユニット２と、コレクタ部１とタービン５との間で作動媒体３を循環させるクローズド経路の作動媒体経路４とを備える。
作動媒体経路４は、前記コレクタ部１で加熱された作動媒体３の蒸気を高圧蒸気としてタービン５に噴出させてタービン５を回転駆動する前記ノズル８と、このノズル８から噴出してタービン５の回転に使用された作動媒体３の蒸気を液体に戻す復水器９と、液体に戻した作動媒体３をコレクタ部１に循環供給するポンプ１０とを有する。
【００２０】
上記構成による熱発電システムの動作を説明する。作動媒体経路４内の作動媒体３は、循環ポンプ１０によってコレクタ部１に送られる。コレクタ部１では太陽熱を吸収し、吸収した熱エネルギーを作動媒体３に与えることにより高圧蒸気とする。作動媒体３の高圧蒸気は、ユニットハウジング１２の吸気口１９からノズル８を介してタービン翼車５Ａの動翼５ｄに噴射され、これによりタービン翼車５Ａが回転駆動される。タービン翼車５Ａの回転によって発電機ロータ６Ａが回転し、発電機ロータ６Ａと対向して設けられた発電機ステータ部６Ｂで発電される。この発電の制御はコントロータ１１によって行われる。タービン翼車５Ａに回転エネルギーを与えた作動媒体３の蒸気は、動翼５ｄ間の通路２５を通り抜けて、排気口２３から熱発電用タービンユニット２の外に出る。その後、作動媒体３の蒸気は、復水器７によって液化され、循環ポンプ９によって再度コレクタ部１まで送られる。
【００２１】
この熱発電用タービンユニット２は、タービン動翼５ｄの配列の内側に設置したノズル８から作動媒体３の蒸気を外側に向けて噴射するため、蒸気が通路２５を通って外側に移動する際に、タービン翼車５Ａの回転に伴う遠心力を受けて増速される。通路２５は断面積が一定の形状であるため、通路２５の流路抵抗が一定となり、流路抵抗による蒸気の圧力増加は無い。そのため、増速した分だけ通路２５内の蒸気の圧力が低く抑えられ、通路以外を通る蒸気の量が少なくなり、タービン効率が高くなる。
また、通路２５は、上下のどの位置でも周方向の幅が一定、かつ内周側の入口から外周側の出口までの周方向の幅が一定であるため、通路２５の設計および加工が容易である。
【００２２】
上記実施形態の熱発電用タービンユニット２は、発電機６をアキシアル型コアレス発電機としているが、ラジアル型等の他の構造でも構わない。動翼取付部材５ａが主軸７と別部材で構成されているが、動翼取付部材５ａを主軸７と一体に形成してもよい。また、発電機ロータ６Ａは主軸７に形成するのではなく、主軸７と別部材に構成してもよい。
【図面の簡単な説明】
【００２３】
【図１】この発明の実施形態にかかる熱発電用タービンユニットの断面図である。
【図２】図１のII−II断面図である。
【図３】（Ａ）は図２の一部を拡大した図、（Ｂ）はそのIIIＢ−IIIＢ断面図である。
【図４】熱発電システムの概略図である。
【符号の説明】
【００２４】
１…コレクタ部
２…熱発電用タービンユニット
３…作動媒体（蒸気）
５…タービン
５Ａ…タービン翼車
５ｄ…動翼
６…発電機
６Ａ…発電機ロータ
８…ノズル
２５…通路
【図１】
2008128127.tif 000003
【図２】
2008128127.tif 000004
【図３】
2008128127.tif 000005
【図４】
2008128127.tif 000006